(57)【要約】      （修正有）【課題】座席の背もたれ部に対して頸部を自然な状態で支持することができる携帯用枕を提供する。【解決手段】携帯用枕１は、人の頸部の後方から装着可能に構成され、可撓性部材からなる密封袋体の内部に空気が充填されてなるものであって、人の頸部の後方に配置され、左右方向に延在する後方クッション部１０と、後方クッション部１０の左端部に連結され、人の頸部の左方に配置される左方クッション部２０と、後方クッション部１０の右端部に連結され、人の頸部の右方に配置される右方クッション部３０とを備えている。後方クッション部１０は、人の頸部の後方から装着されて座席の背もたれ部に人がもたれたときに、人の頸部と座席の背もたれ部との間に生じる隙間以下の直径で形成されている。【選択図】図１
0003172399.tif 000002
【実用新案登録請求の範囲】
【請求項１】
人の頸部の後方から装着可能に構成され、可撓性部材からなる密封袋体の内部に空気および／または柔軟性を有する中材が充填されてなる携帯用枕であって、
人の頸部の後方に配置され、左右方向に延在する後方クッション部と、
前記後方クッション部の左端部に連結され、人の頸部の左方に配置される左方クッション部と、
前記後方クッション部の右端部に連結され、人の頸部の右方に配置される右方クッション部とを備え、
前記後方クッション部は、人が座席の背もたれ部にもたれたときに人の頸部と座席の背もたれ部との間に生じる隙間以下の直径で形成されていることを特徴とする携帯用枕。
【請求項２】
前記後方クッション部は、前記左方クッション部および右方クッション部の両後端部より前方側に設けられている請求項１に記載の携帯用枕。
【請求項３】
前記後方クッション部は直径が３〜５ｃｍの範囲内で形成されている請求項１または請求項２に記載の携帯用枕。
【請求項４】
前記後方クッション部、左方クッション部および右方クッション部の外周面全体を被覆するカバー部材が設けられ、該カバー部材は前記後方クッション部の上方位置または下方位置に、前記左方クッション部および右方クッション部を出し入れ可能な大きさの開口部が左右方向に延びる態様で形成されている請求項１ないし請求項３のいずれかに記載の携帯用枕。
【考案の詳細な説明】
【技術分野】
【０００１】
本考案は、座席で睡眠をとる際に人の頸部の後方から装着される携帯用枕に関する。
【背景技術】
【０００２】
例えば、電車、自動車、飛行機などの乗り物で長距離移動するときなどのように、長時間座席に座る場合に睡眠をとることがある。このように座席で睡眠をとる際に、頭部の重みによって人の頸部が側方に傾いてしまうため、睡眠がとりづらいものであった。
【０００３】
そこで、睡眠をとり易くするため、人の頸部の側方を支持するものとして従来より携帯用枕が知られており、例えば下記特許文献１および特許文献２に開示されている。
【０００４】
この携帯用枕１００は、図６（ａ）に示すように、全体的に略均等な太さで湾曲形状に形成されており、座席に座る際に人の頸部Ｎの後方から装着されるものである。
【先行技術文献】
【特許文献】
【０００５】
【特許文献１】特開２００４−２７５５７１号公報
【特許文献２】実用新案登録第２５８８９２９号
【考案の概要】
【考案が解決しようとする課題】
【０００６】
しかしながら、従来の携帯用枕１００は、人の頸部Ｎが側方に傾かないように支持するものの、図６（ｂ）に示すように、座席Ｓの背もたれ部Ｓａに携帯用枕１００の後方部１０１が当接し、人の頭部Ｈが座席Ｓに背もたれ部Ｓａから浮いて前のめりの状態になってしまう。特に、近年の座席は、頭部を支持する部分が前方に迫り出すように設計されている場合が多く、該座席で携帯用枕１００を使用すると、頭部Ｈの前のめりの状態がよりきついものとなる。このため、人の頸部Ｎに負担がかかってしまい、これが原因で睡眠がとりづらいという問題があった。
【０００７】
本考案は、上述の問題に鑑みてなされてものであって、座席の背もたれ部に対して頸部を自然な状態で支持することができる携帯用枕を提供することを目的とする。
【課題を解決するための手段】
【０００８】
本考案に係る携帯用枕は、上記の目的を達成するために、人の頸部の後方から装着可能に構成され、可撓性部材からなる密封袋体の内部に空気および／または柔軟性を有する中材が充填されてなるものである。この携帯用枕は、人の頸部の後方に配置され、左右方向に延在する後方クッション部と、後方クッション部の左端部に連結され、人の頸部の左方に配置される左方クッション部と、後方クッション部の右端部に連結され、人の頸部の右方に配置される右方クッション部とを備え、後方クッション部は、人が座席の背もたれ部にもたれたときに人の頸部と座席の背もたれ部との間に生じる隙間以下の直径で形成されていることを特徴とする。
【０００９】
これによれば、後方クッション部が人の頸部と座席の背もたれ部との間に生じる隙間以下の直径で形成されていることによって、人の頸部の後方から装着した際に後方クッション部が人の後頭部および背部より後方側に突出しないため、人の後頭部が座席の背もたれ部に当接し、座席の背もたれ部に対して頸部を自然な状態で支持することができる。
【００１０】
また、後方クッション部は、左方クッション部および右方クッション部の両後端部より前方側に設けられているのが好ましい。これによれば、後方クッション部が左方クッション部および右方クッション部の両後端部より前方側に設けられているため、人の頸部の後方から装着した際に人が座席の背もたれ部にもたれていくと、左方クッション部および右方クッション部の両後端部が座席の背もたれ部によって前方側に押し返される。これにより、左方クッション部および右方クッション部が後方クッション部を中心にして人の頸部を挟み込む態様で互いに近接方向に変形していくため、該左方クッション部および右方クッション部によって人の頸部の左右両側が挟まれ、人の頸部全体を安定して支持することができる。
【００１１】
また、後方クッション部は直径が３〜５ｃｍの範囲内で形成されているのが好ましい。これによれば、多くの人の頸部の後側の形状に対応することができる。
【００１２】
また、後方クッション部、左方クッション部および右方クッション部の外周面全体を被覆するカバー部材が設けられ、該カバー部材は後方クッション部の上方位置または下方位置に、左方クッション部および右方クッション部を出し入れ可能な大きさの開口部が左右方向に延びる態様で形成されているのが好ましい。これによれば、本携帯用枕の外周面全体を被覆するカバー部材に対して本携帯用枕を容易に出し入れすることができる。
【考案の効果】
【００１３】
本考案によれば、後方クッション部が人の頸部と座席の背もたれ部との間に生じる隙間以下の直径で形成されていることによって、人の頸部の後方から装着した際に後方クッション部が人の後頭部および背部より後方側に突出しないため、人の後頭部が座席の背もたれ部に当接し、座席の背もたれ部に対して頸部を自然な状態で支持することができる。したがって、頭部が前のめりの状態にならないため、人の頸部に負担がかからず、睡眠をとり易くなる。また、人の頸部に負担がかからないため、寝起きに頸部を痛めることを防止することが可能になる。
【図面の簡単な説明】
【００１４】
【図１】本実施形態の携帯用枕を示す斜視図である。
【図２】携帯用枕を示す（ａ）平面図と、（ｂ）正面図である。
【図３】携帯用枕の変形の状況を示す平面図である。
【図４】携帯用枕の使用状況を示す要部の側面図である。
【図５】カバー部材が設けられた携帯用枕の斜視図である。
【図６】従来の携帯用枕を示す（ａ）平面図と、（ｂ）使用状況を示す側面図である。
【考案を実施するための形態】
【００１５】
次に、本考案に係る携帯用枕の一実施形態について図１〜図４を参照しつつ説明する。
【００１６】
本実施形態に係る携帯用枕１は、図１に示すように、左右方向に延在する後方クッション部１０と、後方クッション部１０の左端部に連結される左方クッション部２０と、後方クッション部１０の右端部に連結される右方クッション部３０とを備えている。
【００１７】
この携帯用枕１は、同一形状に切り抜かれた２枚の可撓性部材（例えば塩化ビニルなどの合成樹脂製シート材）を重ね合わせて、それらの周縁部をシール加工し、内部全体が連通した密閉袋体が形成される。この密封袋体の表面（ここでは後方クッション部１０の上面）に設けられた空気注入口１ａから内部に空気が充填されることによって、携帯用枕１は、図１に示すように、後方クッション部１０、左方クッション部２０および右方クッション部３０の各々が膨らんだ状態となされる。
【００１８】
また、この携帯用枕１は、左方クッション部２０および右方クッション部３０が後方クッション部１０について対照的に構成されており、人の頸部Ｎの後方から本携帯用枕１が装着されることによって、後方クッション部１０が人の頸部Ｎの後方に配置され、左方クッション部２０が人の頸部Ｎの左方に配置されるとともに、右方クッション部３０が人の頸部Ｎの右方に配置される。このため、左方クッション部２０および右方クッション部３０によって、人の頸部Ｎが側方に傾かないように柔軟に支持することができる。
【００１９】
本実施形態に係る前記後方クッション部１０は、図２（ａ）および図２（ｂ）に示すように、左方クッション部２０および右方クッション部３０より細長い形状で形成され、人の頸部Ｎと座席Ｓの背もたれ部Ｓａとの間に生じる隙間以下の直径ｄで形成されている。これにより、図４に示すように、本携帯用枕１を人の頸部Ｎの後方から装着した際に後方クッション部１０が人の後頭部Ｈａおよび背部Ｂより後方側に突出しないため、人が座席Ｓの背もたれ部Ｓａにもたれたときに人の頭部Ｈが座席Ｓの背もたれ部Ｓａに当接し、座席Ｓの背もたれ部Ｓａに対して頸部Ｎを自然な状態で支持することができる。また、この後方クッション部１０は、具体的に直径ｄが３〜５ｃｍの範囲で形成されており、これにより多くの人の頸部Ｎの後側の形状に対応することができる。
【００２０】
ここで、後方クッション部１０の直径ｄが３〜５ｃｍの範囲で形成されることとしたのは、後方クッション部１０が人の頸部Ｎと座席Ｓの背もたれ部Ｓａとの間に生じる隙間に適度に挟まれて、人の頸部Ｎを座席Ｓの背もたれ部Ｓａに対して安定した状態で支持することが可能になるからである。つまり、後方クッション部１０の直径ｄを３ｃｍ以上としたのは、直径ｄが３ｃｍより小さいと、人の頸部Ｎと後方クッション部１０の間、あるいは後方クッション部１０と座席Ｓの背もたれ部Ｓａとの間に隙間が形成されてしまい、後方クッション部１０が人の頸部Ｎを安定して支持できない場合が生じるからである。一方、後方クッション部１０の直径ｄを５ｃｍ以下としたのは、直径ｄが５ｃｍより大きいと、従来の携帯用枕のように後方クッション部１０が人の後頭部Ｈａおよび背部Ｂから後方側に突出する場合が生じるからである。
【００２１】
また、後方クッション部１０は、図２（ａ）および図２（ｂ）に示すように、左方クッション部２０および右方クッション部３０との連結位置から中央部に向かって次第に細くなる態様（くびれ状）で形成されている。これにより、人の頸部Ｎの後側の曲面（図２（ａ）中では頸部Ｎの上側から左右両側に亘る部分）に沿う態様で人の頸部Ｎの後側と接するため、本携帯用枕１を装着している人に違和感を与えることを防止することができる。
【００２２】
さらに、この後方クッション部１０は、図２（ａ）に示すように、左方クッション部２０および右方クッション部３０の両後端部２１、３１より前方側に設けられている。これにより、左方クッション部２０の後端部２１および右方クッション部３０の後端部３１が、後方クッション部１０より後方側に突出することとなる。したがって、図３に示すように、人の頸部Ｎの後方から装着した際に人が座席Ｓの背もたれ部Ｓａにもたれていくと、左方クッション部２０および右方クッション部３０の両後端部２１、３１が座席Ｓの背もたれ部Ｓａによって前方側に押し返される。このため、図３中の破線で示した形状から実線で示した形状に左方クッション部２０および右方クッション部３０が後方クッション部１０を中心にして人の頸部Ｎを挟み込む態様で互いに近接方向に変形していく。これにより、人の頸部Ｎの左右両側が左方クッション部２０および右方クッション部３０によって挟まれ、人の頸部Ｎ全体を安定して支持することができる。
【００２３】
なお、上記の実施形態において、後方クッション部１０の直径ｄが３〜５ｃｍの範囲で形成されている場合について説明したが、直径ｄが３ｃｍ未満であってもよい。
【００２４】
また、後方クッション部１０がくびれ状に形成されている場合について説明したが、くびれ状に形成されなくてもよい。
【００２５】
また、携帯用枕１は空気が充填されてなる場合について説明したが、柔軟性を有する中材が充填されてなるものであってもよい。この場合、携帯用枕は、例えば綿、羽毛、スポンジなどの柔軟性を有する中材を内部に充填してなるものが含まれる。また、空気および上記したような柔軟性を有する中材の両者を充填するようにしてもよい。
【００２６】
また、携帯用枕１は、図５に示すように、後方クッション部１０、左方クッション部２０および右方クッション部３０の外周面全体を被覆するカバー部材４０が設けられてもよい。このカバー部材４０は、後方クッション部１０の上方位置に、左方クッション部２０および右方クッション部３０を出し入れ可能な大きさの開口部４１が左右方向に延びる態様で形成されている。カバー部材４０の開口部４１が上記のように構成されているため、本携帯用枕１の外周面全体を被覆するカバー部材４０に対して本携帯用枕１を容易に出し入れすることができる。すなわち、本携帯用枕１の後方クッション部１０は、人が座席Ｓの背もたれ部Ｓａにもたれたときに人の頸部Ｎと座席Ｓの背もたれ部Ｓａとの間に生じる隙間以下の直径ｄで形成されているが、そのような形状に適合して外周面全体を被覆するカバー部材４０に対して本携帯用枕１を容易に出し入れすることができる。なお、開口部４１は後方クッション部１０の下方位置に設けられてもよい。
【００２７】
また、上記の場合、カバー部材４０の素材を適宜変更することで、該素材に応じた効果を発揮させることができる。例えば、カバー部材４０の素材に綿を採用することによって、人の汗を吸引することが可能になる。
【００２８】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００２９】
１…携帯用枕
１ａ…空気注入口
１０…後方クッション部
２０…左方クッション部
２１…左方クッション部の後端部
３０…右方クッション部
３１…右方クッション部の後端部
４０…カバー部材
４１…開口部
Ｎ…人の頸部
Ｈ…人の頭部
Ｈａ…人の後頭部
Ｂ…人の背部
Ｓ…座席
Ｓａ…背もたれ部
【図１】
0003172399.tif 000003
【図２】
0003172399.tif 000004
【図３】
0003172399.tif 000005
【図４】
0003172399.tif 000006
【図５】
0003172399.tif 000007
【図６】
0003172399.tif 000008